(57)【要約】【課題】可動障子に対する取付けが簡単であること。【解決手段】ブレーキ装置Ｘは、可動障子３の側端部に固定された支持部材１１と、この支持部材に横軸１６を介して回転自在に軸支されたストッパー部材２１と、このストッパー部材を所定方向へ常時付勢するように横軸に巻装されたバネ部材１７とから成り、一方、受け部材Ｙは、縦枠の案内部分の内壁面に固定的に設けられ、ストッパー部材は、吊材の張力が作用している通常時の場合には、その下端部が案内部分の内壁面から離れる位置に保持され、一方、吊材が切れた非常時の場合には、バネ部材のバネ力により瞬時に回転して、下端部が案内部分の内壁面に摩擦係合し、しかも、この摩擦係合の状態が短時間継続した場合には、該下端部は受け部材Ｙの上端部に受け止められる可動障子用の落下危険防止装置。【選択図】図５
2008214998.tif 000002
【特許請求の範囲】
【請求項１】
ブレーキ装置Ｘは、可動障子３の側端部に固定された支持部材１１と、この支持部材に横軸１６を介して回転自在に軸支されたストッパー部材２１と、このストッパー部材を所定方向へ常時付勢するように前記横軸に巻装されたバネ部材１７とから成り、一方、受け部材Ｙは、縦枠の案内部分の内壁面に固定的に設けられ、前記ストッパー部材は、吊材の張力が作用している通常時の場合には、その下端部が案内部分の内壁面から離れる位置に保持され、一方、吊材が切れた非常時の場合には、バネ部材のバネ力により瞬時に回転して、前記下端部が案内部分の内壁面に摩擦係合し、しかも、この摩擦係合の状態が短時間継続した場合には、該下端部は受け部材Ｙの上端部に受け止められることを特徴とする可動障子用の落下危険防止装置。
【請求項２】
請求項１に於いて、ストッパー部材は、吊材の下端部が連結され、かつ、横軸に軸支される縦長状プレート部分と、このプレート部分の下端部に交差するように連設すると共に直線状外面を有する圧接部分とから成ることを特徴とする可動障子用の落下危険防止装置。
【発明の詳細な説明】
【技術分野】
【０００１】
本発明は、可動障子用の落下危険防止装置に関する。
【背景技術】
【０００２】
窓に関するブレーキ装置は、回転式窓についてのブレーキ装置と、昇降動式のブレーキ装置に大別することができる。本発明は、後者の類型に属するブレーキ装置である。
【０００３】
ここでは、背景技術として、後者の類型の背景技術を二つ挙げる。その一つは特許文献１である。この特許文献１には、吊材（ワイヤ）が切れた時に作動する係止装置が記載されている。この係止装置は、内側可動障子（内側収納体）に長板状の支持部材を介して取付けられている。そして、その基本的構成は、内側可動障子の側端部に縦方向に固定された縦長支持板と、この縦長支持板の縦案内長孔に係合し、かつ、吊材の下端部が連結された可動横軸と、この可動横軸に連結された連結レバーと、この連結レバーの下端部に枢軸を介して連結されたストッパーレバーと、このストッパーレバーの中途部を軸支するように前記縦長支持板に設けられた固定支軸と、ストッパーレバーの下端部に長溝及び支軸を介して設けられた円柱状ストッパーと、上端部が前記ストッパーレバーの上端部に、一方、下端部は内側可動障子の天板にそれぞれ連結されたスプリングとから成る。
【０００４】
上記構成に於いては、吊材の張力が作用している通常時の場合には、円柱状ストッパーは、連結レバーに吊材の張力が作用しているので、縦長支持板に固定的に突設した楔状ストッパーの下方に待機している。
【０００５】
一方、吊材が切れた非常時の場合には、円柱状ストッパーは、内側可動障子の自重等によって、瞬時に前記楔状ストッパーの斜面に沿って転動し、窓枠の内壁面（可動障子の側端面と対向する縦枠内面）と円柱状ストッパーとの間に入り込み、摩擦係止する。
しかしながら、上記の係止装置は、構成部品が少ないと、作動に対する信頼性が高い等の利点があるものの、その構成部品は、複数の支軸やレバー、円柱状ストッパー、楔台、スプリング等からなるので、まだまだ改良すべき問題点があった。例えば構成部品をもっと少なくする、構成部品を一箇所に合理的に組み合わせる等である。
【０００６】
また、特許文献２の障子吊り係止具は、係止部を有する基体、支軸、揺動ブレーキ片、吊索が係合するボス、揺動ブレーキ片を外方側に向けて付勢するバネ材等を備えている。
【０００７】
そして、この障子吊り係止具は、吊索が障子を吊持している状態では、ボスが吊索の張力によって横方向力を受けることにより、揺動ブレーキ片は、バネ材による付勢力に抗しながら窓縦枠から離間する位置に保持され、一方、吊索が切断した場合には、揺動ブレーキ片はバネ材による付勢力により外方側に突出して前記窓縦枠と接触する。
【０００８】
この特許文献２に記載のブレーキ装置も、特許文献１と同様に構成部品が少ないという利点を有し、また、吊りワイヤ等の吊持用吊索が何らかの原因で切断した場合であっても、係止具に設けられた揺動ブレーキ片が作動し、障子の落下を未然に防止できるという利点がある。しかしながら、特許文献２も、特許文献１と同様の問題点を有している。
【特許文献１】公開実用平成２−１２７７００号公報
【特許文献２】特開２００２−２４２５２７号公報
【発明の開示】
【発明が解決しようとする課題】
【０００９】
本発明の所期の目的は、構成する部品点数をより一層少なくし、施工時の取付けを簡単にすることである。第２の目的は、吊材が切れた非常時に於いて、可動障子が摩擦係合しながら下がり続けても、所定位置で確実に受け止め、手を挟めるという事態を完全になくすることである。その他、非常時にブレーキが確実に働くことである。
【課題を解決するための手段】
【００１０】
本発明の可動障子用の落下危険防止装置は、ブレーキ装置Ｘは、可動障子３の側端部に固定された支持部材１１と、この支持部材に横軸１６を介して回転自在に軸支されたストッパー部材２１と、このストッパー部材を所定方向へ常時付勢するように前記横軸に巻装されたバネ部材１７とから成り、一方、受け部材Ｙは、縦枠の案内部分の内壁面に固定的に設けられ、前記ストッパー部材は、吊材の張力が作用している通常時の場合には、その下端部が案内部分の内壁面から離れる位置に保持され、一方、吊材が切れた非常時の場合には、バネ部材のバネ力により瞬時に回転して、前記下端部が案内部分の内壁面に摩擦係合し、しかも、この摩擦係合の状態が短時間継続した場合には、該下端部は受け部材Ｙの上端部に受け止められることを特徴とする。
【発明の効果】
【００１１】
（１）構成する部品点数をより一層少なくしたので、施工時の取付け時間を短縮することができる。
（２）吊材が切れた非常時に於いて、障子の落下によって手を挟めるという事態を完全に防ぐことができる。
（３）また、請求項２及び請求項３は、ストッパー部材の下端部又は圧接部分が、縦枠の内面ａに摩擦係合する直線状外面を有するので、ストッパー部材が受け部材Ｙの上端部に衝突したとき、その衝撃によりさらに回転してしまう恐れもない。
（４）さらに、請求項３に記載の発明は、強力な衝撃力を回避することができる。すなわち、ストッパー部材２１の下端部が、いわゆる野球のミットにボールが吸い込まれるかの如く、上位の指先から下位の曲面状手の平にかけて衝合するので、受け部材Ｙ又はストッパー部材２１がお互いに弾かれる事態を極力防止することができる。
【発明を実施するための最良の形態】
【００１２】
以下、図１乃至図５に示す本発明を実施するための最良の形態（第１実施例）により説明する。
【００１３】
（１）発明の実施の環境
図１は発明の実施の環境を示す概略説明図である。本発明の可動障子用の落下危険防止装置は、可動障子側に設けたブレーキ装置Ｘと、縦枠側に配設した受け部材Ｙとから構成されている。付言すると、Ｘは内側障子３の側端部３ａの下端部の左右にそれぞれ配設した左右一組のブレーキ装置である。一方、Ｙは窓の窓枠を構成する縦枠の案内部分に配設した受け部材である。
【００１４】
まず、ブレーキ装置Ｘから説明するが、このブレーキ装置Ｘは、左右同一なので、図面では一つ（右側）の構成だけ具体的に示す。ここで、図１を参照にして環境部材に符号を付す。図１に於いて、１は上げ下げ窓である。上げ下げ窓１は、方形枠状に構成された窓枠２の内部空間に窓を構成する縦枠２Ａ、２Ｂに沿って昇降自在とされる内側障子３並びに固定式外側障子４とを備えている。
【００１５】
また、縦枠２Ａ、２Ｂの上部に左右一組の巻上げ手段、例えば渦巻きバネ式バランサー装置５、５が配設され、これらの巻上げ手段５、５から、例えば上枠の吊り下げ落下ポイントにそれぞれ配設された案内滑車６、６を介して繰り出された左右一対の吊材（例えばワイヤ、ロープなど）７，７の下端部７ａ、７ａは、ブレーキ装置Ｘを構成するストッパー部材２１に直接取付けられている。
【００１６】
なお、２Ｃは縦枠の下方横枠で、図１では、この横枠２Ｃと可動障子３の下端部３ｂとの間に間隙８が残っている状態を示す（可動障子３が多少上方に上がっている状態）。
【００１７】
また、前記渦巻きバネ式バランサー装置５は、内設された渦巻きバネにより内側障子３の重量と力学的に平衡関係を保ち、該内側障子３を小さな力で簡単に開閉できるようにすると共に、任意の高さ位置に停止可能とする。さらに、外側障子４についても同様に、上枠に配設した図示しないダブルバランサーを用いて上下方向に開閉自在の可動障子として吊持できる。
【００１８】
（２）構成に関する図面の詳細
図２乃至図５を参照にして、本発明の特定要件について順次説明する。図２は縦枠２Ｂの案内部分２ａ内にストッパー部材２１が位置するブレーキ装置Ｘと、縦枠２Ｂ側に配設した受け部材Ｙの一部を示す。本発明のブレーキ装置Ｘは、ストッパー部材２１が前記案内部分２ａ内に位置するように可動障子３の側端部３ａの下部に取付けられている。
【００１９】
また、図３は縦枠２Ｂの一部と共に、ブレーキ装置Ｘの主要部を分解した状態で斜視から示す。また図４は室内側から見た説明図で、この図４では、通常時に於いて、ストッパー部材２１は垂直状態（実線）となり、一方、緊急時に於いて、ストッパー部材２１は垂直状態（実線）から反時計方向に所要量回転して傾倒状態（仮想線）となり、その圧接部分２３が案内部分２ａの内壁面ａに摩擦係合する旨を示す。さらに、図５は、ストッパー部材２１の圧接部分２３と縦枠２Ｂの案内部分２ａの内壁面ａとの摩擦係合の状態が短時間継続すると、可動障子３は所定位置にて縦枠側の受け部材Ｙに受け止められる旨を示す。本実施例では、緊急時、ストッパー部材２１の下端部２２ｂが板状の受け部材Ｙの上端部に衝突することにより、可動障子３は窓の横枠２Ｃとの間に所要間隙（指を挟めないような空間）８を残して止まる。
【００２０】
（３）ブレーキ装置の基本的構成
ブレーキ装置Ｘは、可動障子３の側端部３ａに前記縦枠２Ｂ（２Ａ）の内壁面ａに向かって突出するように固定された支持部材１１と、この支持部材１１に横軸１６を介して回転自在に軸支され、かつ、下端部２２ｂに圧接部分２３を有するストッパー部材２１と、このストッパー部材２１の前記圧接部分２３を縦枠２Ｂ（２Ａ）の内壁面ａに圧接する方向に常時付勢するように前記横軸１６に巻装されたバネ部材１７とから成る。
【００２１】
（４）具体的構成
図２と図３を参照にして、主要部の具体的構成を説明する。まず、支持部材１１は、側端部３ａの側面から突出する四角いブロック形状の突起部１２と、この突起部１２の先端面１２ａから突出する端板状の支持板１３とから成り、前記支持板１３の横向き山形形状の先端部には、横軸１６用の軸孔１４が形成されている。
【００２２】
また、支持板１３には中央部寄りの適宜部位にバネ部材１７の一端部１７ａを支持するバネ端支持部（例えば支持小孔）１５が形成されている。また、図２で示すように、本実施例の支持板１３は、突起部１２の先端面１２ａの中央部ではなく、突起部１２の後端面１２ｂと面一になるように或いは後端面１２ｂ寄りの部位から縦枠２Ｂの内壁面ａに向かって延びている。したがって、図２を基準にすると、突起部１２の先端面１２ａと縦枠２Ｂの案内部分２ａの内壁面ａとの間には、ストッパー部材装着用の空間９が設定されている。
【００２３】
次に、ストッパー部材２１は、吊材７の下端部７ａが連結され、かつ、横軸１６に軸支される縦長状のプレート部分２２と、このプレート部分の下端部に交差するように連設するやや幅広の圧接部分２３とから成る。
【００２４】
しかして、本実施例では、プレート部分２２の上端部２２ａには吊材７用の取付け孔２４が形成され、また、中央部には横軸１６用の軸孔２５が形成されている。そして、下端部２２ｂには、手のひら形状の圧接部分２３が傾斜状に連設している。
【００２５】
ところで、本実施例では、圧接部分２３の先端部がプレート部分２２の下端部２２ｂから若干突出しているが、圧接部分２３の先端部又下端部を前記下端部２２ｂから若干突出させるか否かは任意事項である。また、圧接部分２３の形状は、端面Ｊ字形状、鉤形状、逆Ｌ字形状等任意に設計することができるが、望ましくは、幅広に形成し、図５で示すように、内壁面ａと摩擦係合する直線状外面を有するように形成する。
【００２６】
さらに、吊材７の下端部７ａは、上端部２２ａの吊材７用の取付け部（例えば取付け孔２４）に直接取り付けているが、取付け孔２４に係合する係止棒、固定具等を利用して連結するか否かも任意事項である。
【００２７】
次に、バネ部材１７は、中央部１７ｂが横軸１６に巻装された状態で、その一端部１７ａは、前述したように支持板１７のバネ端支持部１５に支持され、一方、他端部１７ｃは、ストッパー部材２１の下端部２２ｂの切欠部分に支持されている。
【００２８】
最後、受け部材Ｙは、窓の縦枠２Ｂの案内部分２ａの内壁面ａに沿って固定的に設けられた所定形状の板体である。受け部材Ｙの材質は特に問わないが、本実施例では、弾性体の一例しての硬質ゴムである。なお、受け部材Ｙは、ストッパー部材２１の圧接部分と衝合するように案内部分２ａの内壁面ａから多少突出す突出杆であっても良い。
【００２９】
（５）作用
ストッパー部材２１は、可動障子３の側端部３ａから突出する支持部材１１を介して固定されているから、可動障子３が昇降動すると、当然、縦枠２Ａ（２Ｂ）の案内部分２ａ内を昇降動する。また、ストッパー部材２１は、バネ部材１７で摩擦係合する方向に付勢されているから、吊材が弛緩すると、バネ部材１７のバネ力により、所定方向に回転する。
【００３０】
そこで、吊材７の張力がストッパー部材２１の上端部２２ａに作用している通常時の場合には、バネ部材１７の中央部１７ｂは収縮していると共に、ストッパー部材２１の下端部２２ｂは、縦枠の案内部分２ａの内壁面ａから離れる位置に保持されている。それ故に、左右のブレーキ装置Ｘは、可動障子３に対してブレーキをかけていない。
一方、吊材７が切れた非常時の場合には、ストッパー部材２１は、中央部の横軸１６を支点にして、バネ部材１７のバネ力により、瞬時に所定方向（図４では反時計方向）へ回転する。
【００３１】
すなわち、図４で示すように、ストッパー部材２１は、垂直状態（実線）から反時計方向に所要量回転して傾倒状態（仮想線）となり、その圧接部分２３が案内部分２ａの内壁面ａに摩擦係合する。
【００３２】
しかして、可動障子３は、それ自体の重みがあるので、また、ストッパー部材２１は、バネ力だけによって案内部分２ａの内壁面ａに圧接することから、バネ力如何によっては「ずるずる」と滑って下降する。
【００３３】
しかしながら、本発明は、受け部材Ｙも構成要件なので、もし、ストッパー部材２１による摩擦係合の状態が短時間継続して可動障子３が下がり続けた場合には、前記受け部材Ｙの上端部に受け止められる。これにより、発明の所期の目的を達成することができる。
【実施例】
【００３４】
次に、図６及び図７は本発明の第２実施例を示す。この実施例は、第１実施例と実質的に同一なので、同一の部分には同一又は同様の符号を付して重複する説明を割愛する。
第２実施例のブレーキ装置Ｘ１は、支持部材１１Ａの支持板１３Ａの形状、ストッパー部材２１Ａの形状、ストッパー部材２１Ａを軸支する箇所、バネ部材１７の圧接する位置及び吊材７の連結箇所をそれぞれ設計変更している。このような事項は、本発明の本質的事項ではない。
【００３５】
すなわち、ストッパー部材２１Ａの上端部２２ａを横軸１６で軸支し、また、ストッパー部材２１Ａの中央部に吊材７用の取付け部（取付け孔）２４を形成しても、さらに、ストッパー部材２１Ａを「く」の字形状に形成して、横軸１６の位置と吊材７の吊り下げポイントをそれぞれずらしても、本発明と同一の目的を達成することができる。
【００３６】
本実施例に於いて、ブレーキ効果を高めるために、ストッパー部材の圧接部分２３の外面にゴム材を貼着しても良い。また、圧接部分２３のやや弧状に形成しても良い。
【００３７】
ところで、本発明の第１実施例及び第２実施例では、ストッパー部材２１（２１Ａ）の摩擦係合力の増大化や回転防止を図る意味合いで、ストッパー部材２１（２１Ａ）のプレート部分の下端部に、該下端部２２ｂに交差するように直線状外面を有する圧接部分２３を連設形成しているが、強力な衝撃力を回避するという目的（ダンパー効果）のために、次のように設計変更をしても良い。
【００３８】
すなわち、図８に記載の設計変更例は、強力な衝撃力を回避するために、受け部材Ｙの上端部の受け止面２３Ａが、上位の指先から下位の手の平にかけて曲面状に形成されている。
【００３９】
一方、ストッパー部材２１Ｂは、その下端部２２ｂに第１実施例や第２実施例の用に圧接部分２３を有していない。この設計変更例（第３実施例）の場合には、その下端部２２ｂの縦枠の内面ａに摩擦係合する外面が、図面で示すように直線状に形成されているので、前記下端部２２ｂが受け部材Ｙの上端部に衝突したとき、その衝撃によりさらに回転してしまう恐れもないという効果の点では、第１実施例及び第２実施例の各ストッパー部材２１（２１Ａ）と同一である。
【００４０】
なお、図８に於いて、受け部材Ｙの上端部の受け止面は、上位の指先から下位の手の平にかけて曲面状に形成されているが、これは一例であり、例えばフック形状、Ｌ字形状等任意の形状に形成することができる。付言すると、受け部材Ｙの上端部の受け止面は、ストッパー部材２１Ａの下端部に形状に対応して適宜に形成することができる。
【産業上の利用可能性】
【００４１】
本発明は、主に錠前や建具の業界で利用される。
【図面の簡単な説明】
【００４２】
図１乃至図５は本発明の最良の第１実施例を示す各説明図。図６及び図７は本発明の最良の第２実施例を示す各説明図。
【図１】第１実施例のブレーキ装置を備える環境説明図。
【図２】縦枠の案内部分と可動障子の側端部との間に本発明が位置している旨の説明図。なお、受け部材の斜視からの説明図も含む。
【図３】主要部の斜視からの概略説明図（ストッパー部材等は分解斜視図）。
【図４】主要部の正面視からの概略説明図。
【図５】可動障子が摩擦係合して受け部材で受け止められた旨の説明図。
【図６】第２実施例の正面視からの概略説明図（通常時）。
【図７】非常時に於いて、ブレーキが作動する説明図。
【図８】第１実施例及び第２実施例の要部の設計変更例を示す説明図。
【符号の説明】
【００４３】
Ｘ、Ｘ１…ブレーキ装置、Ｙ…受け部材、１…上げ下げ窓、２…窓枠、２Ａ、２Ｂ…縦枠、２ａ…案内部分、ａ…内壁面、２Ｃ…下方の横枠、３…可動障子、３ａ…側端部、３ｂ…下端部、４…外側障子、５…巻上げ手段、７…吊材、７ａ…下端部、８…間隙、１１、１１Ａ…支持部材、１２…突起部、１２ａ…先端面、１３、１３Ａ…支持板、１４、２５…軸孔、１５…バネ端支持部、１６…横軸、１７…バネ部材、１７ａ一端部、１７ｂ…中央部、１７ｃ…他端部、２１、２１Ａ、２１Ｂ…ストッパー部材、２２…プレート部分、２２ａ…上端部、２２ｂ…下端部、２３…圧接部分、２３Ａ…受け止面、２４…取付け部（取付け孔）。
【図１】
2008214998.tif 000003
【図２】
2008214998.tif 000004
【図３】
2008214998.tif 000005
【図４】
2008214998.tif 000006
【図５】
2008214998.tif 000007
【図６】
2008214998.tif 000008
【図７】
2008214998.tif 000009
【図８】
2008214998.tif 000010